(57)【要約】【課題】、仰臥位における排泄行為が容易に行えるとともに、便の付着等によるかぶれ等が起こらないようにする。【解決手段】  一対の排泄時作動部３０Ａ、３０Ｂを備え、排泄時作動部３０Ａ、３０Ｂそれぞれは、仰臥位人体の臀部Ｄにおける一対の肉部Ｄ１、Ｄ２それぞれに接触配置され、排泄時に互いが開くことで一対の肉部Ｄ１、Ｄ２を一体に開き仰臥位人体の肛門Ｋに臨む排泄空間Ｓを形成するものである排泄時作動機構。【選択図】図６
2009119220.tif 000002
【特許請求の範囲】
【請求項１】
一対の排泄時作動部を備え、
前記排泄時作動部それぞれは、
仰臥位人体の臀部における一対の肉部それぞれに接触配置され、
排泄時に互いが開くことで前記一対の肉部を一体に開き前記仰臥位人体の肛門に臨む排泄空間を形成するものである、
ことを特徴とする排泄時作動機構。
【請求項２】
請求項１の排泄時作動機構を備えるオムツ型排泄物処理装置。
【請求項３】
請求項１の排泄時作動機構を備えるベッド。
【発明の詳細な説明】
【技術分野】
【０００１】  この発明は、寝たきりの要介護者等が使用する排泄物処理装置等に用いられる排泄時作動機構に関する。
【背景技術】
【０００２】  自立できず寝たきりとなった要介護者の場合、その介護に際し排泄物の処理に非常に労力を要する。そこで、最近においては排泄物の処理が自動的になされる装置が種々提供されている。この装置は排泄物を受け具で受け、それを外部に排出処理するとともに、人体の排泄機能部を洗浄するように構成されている。
【発明の開示】
【０００３】  しかしながら、現状の装置の場合、仰臥位での排便等が行いにくいという基本的な問題があった。これは、仰臥位では臀部の両側の肉部が接近して接触状態にあり肛門からの排便空間が形成されない、すなわち、トイレでの通常排便時おける「お尻が開く」状態とならないためである。その「お尻を開く」状態とならないと便意がもよおしにくく、また、排便のための力が入れにくく、さらに排便に際して便が臀部に付着する感触が好ましくないことで排便意欲が損なわれることとなる。くわえて、排便後臀部に便が多く付着することでその除去が十分に行われず、そこがかぶれやすくなるという問題点もあった。
【特許文献１】特開２００２−５８６９２
【発明が解決しようとする課題】
【０００４】  この発明は、上記の問題点を解消するように行ったもので、仰臥位においての排泄行為が容易に行えるとともに、便の付着等によるかぶれ等が起こらないようにすることを目的とする。
【解決手段】
【０００５】  この発明では、一対の排泄時作動部を備え、前記排泄時作動部それぞれは、仰臥位人体の臀部における一対の肉部それぞれに接触配置され、排泄時に互いが開くことで前記一対の肉部を一体に開き前記仰臥位人体の肛門に臨む排泄空間を形成するものであることを特徴とする排泄時作動機構を提供する。
【０００６】  上記構成の排泄時作動機構によれば、一対の排泄時作動部が開くことでそれに接触する仰臥位人体の臀部の一対の肉部が一体に開き、そこに肛門に臨む排泄空間が形成される。これにより、肛門からの排泄物は臀部の肉部に触れることなくスムーズに排泄される。臀部の肉部が開くことで便意をもよおしやすくなるとともに、排便に力を入れやすくなる。さらに、臀部の肉部に便等が付着しにくいことで、その部分のかぶれ等が少なくできる。この排泄時作動機構は、各種の排泄物処理装置、また、ベッド等に組み込み使用することで有用に用いられる。
【発明の効果】
【０００７】  この発明の排泄時作動機構によれば、仰臥位においての排泄行為が容易に行えるとともに、便の付着等によるかぶれ等の問題も解消されるようになり、この排泄時作動機構を組み込んだ排泄物処理装置やベッドは寝たきりの要介護者にきわめて有用に用いられる。
【発明を実施するための最良の形態】
【０００８】  図１は請求項１の発明の排泄時作動機構を用いる請求項２の発明のオムツ型排泄物処理装置の開いた状態の斜視図、図２は同空気充填時の開いた状態の斜視図、図３は使用時における空気充填時の簡略断面図、図４は同電気的接続構成図である。【０００９】  １はオムツ型排泄物処理装置で、全体が柔軟なゴム系のプラスチックスシート製で通常は図１に示すように扁平であり、一体に連続する内部スペース５内にエアパイプ７により空気が導入されることで全体が膨らみ、図２、図３に示す状態となる。先端部分４、両端部分９、９のそれぞれには固定用面バンド１０のそれぞれが取り付けられており、このオムツ型排泄物処理装置１は扁平な状態で通常のオムツのように人の排泄機能部を覆うように装着され、先端部分４、両端部分９、９が重ねられて固定される。２０Ａはスリットで、膨らみ状態となった際には両側が外側に引っ張られ開いて開口２０Ｂとなる。また、膨らみ状態となった際には開口２０Ｂの下部に排泄物の受け空間１１が形成され、この受け空間１１には外部から洗浄用パイプ１２と排出用パイプ１３とが接続される。【００１０】  Ｐ１は上記エアパイプ７途中に配置されるポンプ、Ｐ２は上記洗浄用パイプ１２の途中に配置されるポンプ、Ｐ３は上記排出用パイプ１３の途中に配置されるポンプである。洗浄用パイプ１２の端部は洗浄水タンクに接続され、排出用パイプ１３の端部は排泄物貯留タンクに接続される。Ｓ１、Ｓ２のそれぞれは電波信号を発するリモートスイッチであり、制御部７０を介して上記ポンプＰ１、Ｐ２、Ｐ３それぞれに作動信号を与える。すなわち、Ｓ１、Ｓ２から所定の指令信号が発せられることで制御部７０によりポンプＰ１、Ｐ２、Ｐ３が対応する所定動作を行うようになっている。リモートスイッチＳ１は上記オムツ型排泄物装置の１の先端部４に取り付けられて要介護者もしくは介護者により操作され、リモートスイッチＳ２は介護者が所持操作するようになっている。【００１１】  図５、図６を参照して上記オムツ型排泄物処理装置１の使用について説明する。非排便時においてオムツ型排泄物処理装置１は、図５に示すように、内部スペース５に空気が充填されないことで扁平状態を保ち、一般のオムツと同様に用いられる。排便に際し、要介護者もしくは介護者がリモートスイッチＳ１もしくはＳ２を操作することでオムツ型排泄物処理装置１は動作をスタートし、まずポンプＰ１が作動されこれにより内部スペース５に空気が所定量充填され、図６に示すように、オムツ型排泄物処理装置１は膨らんで人体の臀部Ｄとともに立ち上がって立体的形態を形成する。【００１２】  その立体的形態の形成時の動作を詳細する。オムツ型排泄物処理装置１における人体の臀部Ｄの両側の肉部Ｄ１、Ｄ２に接する部分（排泄時作動部）３０Ａ、３０Ｂは、内部スペース５に空気が充填され全体が膨らむにつれて矢印Ｘに示すように両側に引っ張られる。これによりスリット２０Ａが開き開口２０Ｂとなるとともに、立ち上がることで開口２０Ｂの下部に排泄物の受け空間１１が形成される。オムツ型排泄物処理装置１は扁平時から膨らみ時に形態変化する際に上記のように開口２０Ｂ、受け空間１１を形成するよう予め設計製作されている。【００��３】  上記の部分３０Ａ、３０Ｂが両側へ引っ張られて離反する際には、その表面に弾力的に密着する臀部Ｄの肉部Ｄ１、Ｄ２をも一体に矢印Ｙ方向に移動して離反させる。これにより肉部Ｄ１、Ｄ２が開きそこに肛門Ｋに臨む排便空間Ｓが確保され、これにより「お尻が開く」状態となる。また、その際には部分３０Ａ、３０Ｂの先端側が臀部Ｄの重みにより若干下側に湾曲する状態となり、これによりさらに「お尻が開く」状態となる。【００１４】  この状態において排便がなされ、その際上記のように排便（排泄）空間Ｓが形成されることで、肛門Ｋから排出される便Ｖはスムーズに開口２０Ｂを通って受け空間１１内に落下する。「お尻が開く」状態となることで被介護者は便意がもよおしやすくなるとともに、排便のための力が入れやすく、さらに排便に際して便が臀部に付着する感触がなくなることで気持ちよく排便が行われる。くわえて、排便に際しての臀部への便の付着が少なくなることでかぶれも少なくなる。【００１５】  排便が終了した段階でリモートスイッチＳ１もしくはＳ２が押されることでポンプＰ１、Ｐ２が作動され、これにより洗浄パイプ１２端から噴出される湯水により肛門Ｋ及びその周囲部分の洗浄がなされその洗浄後湯水は受け空間１１内にたまり、便と湯水の混合体は排出パイプ１３端から吸出排出される。ポンプＰ２、Ｐ３の停止後ポンプＰ１が再び作動され、これにより内部スペース５内の空気が排出されることでオムツ型排泄物処理装置１は扁平状態に復帰する。【００１６】  上記オムツ型排泄物処理装置１は、排便時のみに膨らみ非排便時にはオムツと同様にその存在があまり気にならないので、これにより要介護者は楽な就寝姿勢をとることを可能となる。また、排便時には膨らみお尻が持ち上げられる状態となるが、その際にも全体がゴム系のプラスチックスシートよりなり弾力性を有するのでそれほど異物感が無く排便が容易になされる。従来文献１等の装置等の場合にはその存在が邪魔となって楽な就寝姿勢がとりにくく、また排便も行いにくい問題があった。さらに、オムツ型排泄物処理装置１は排便に際して膨らむことでその全体が人体の排泄機能部を覆うように密着するので、洗浄液や臭気等の外部への漏れも回避されて快適に使用できる。【００１７】  図７は排泄時作動機構の他の実施形態を示す簡略図、図８はその排泄時作動機構が組み込まれたベッドの側断面簡略図である。排泄時作動機構１００は一対の可動片（排泄時作動体）１０１それぞれの一端側がギヤ軸部１０２で軸支持されて構成されている。ベッド（請求項３の発明）２００には凹部２０１が設けられその内部には排泄物の受け部２０２が設けられるとともに、その側部にモータ２０３が配置されている。上記排泄時作動機構１００はベッド２００の凹部２０１上に上記ギヤ軸１０２がモータ２０３の駆動軸２０５に連動接続されるように設けられている。【００１８】  上記のような構成により、排泄時作動機構１００は、通常は図７（Ａ）に示すようにその可動片１０１が閉じているが、排便時にはモータ２０３が駆動することで可動片１０１それぞれが矢印方向に開き、これによりベッド２００上に仰臥位となっている人Ｐの両可動片１０１上に位置する臀部Ｄの両方の肉部を上記の��施形態のものと同様に開くようになっている。このようにして、ベッド２００上において上記実施形態のものと同様に容易な排便が可能となるものである。
【図面の簡単な説明】
【図１】オムツ型排泄物処理装置の実施形態の開いた状態の斜視図
【図２】オムツ型排泄物処理装置の実施形態の同空気充填時の斜視図
【図３】オムツ型排泄物処理装置の実施形態の使用時における空気充填時の簡略断面図
【図４】オムツ型排泄物処理装置の実施形態の電気的接続構成図
【図５】オムツ型排泄物処理装置の動作説明図
【図６】オムツ型排泄物処理装置の動作説明図
【図７】排泄時動作機構の他の実施形態の平面構成図
【図８】図７に示す排泄時動作機構を組み込んだベッドの側断面簡略構成図
【符号の説明】
１        オムツ型排泄物処理装置
３０Ａ    部分（排泄時作動部）
３０Ｂ    部分（排泄時作動部）
Ｄ        臀部
Ｄ１      肉部
Ｄ２      肉部
Ｋ        肛門
Ｓ        排便空間（排泄空間）
【図１】
2009119220.tif 000003
【図２】
2009119220.tif 000004
【図３】
2009119220.tif 000005
【図４】
2009119220.tif 000006
【図５】
2009119220.tif 000007
【図６】
2009119220.tif 000008
【図７】
2009119220.tif 000009
【図８】
2009119220.tif 000010